(57)【特許請求の範囲】
【請求項１】
テレビジョン信号が入力される第一の入力端と、ＦＭ放送信号が入力される第二の入力端と、出力端と、前記第一の入力端と前記出力端との間に介挿されると共に、前記第一の入力端と前記出力端との間を前記テレビジョン信号の受信では信号の通過状態とし、前記ＦＭ放送信号の受信時では信号の非通過状態とする第一のスイッチ回路と、前記第二の入力端と前記出力端との間に介挿されると共に、前記第二の入力端と前記出力端との間を前記ＦＭ放送信号の受信時では信号の通過状態とし、前記テレビジョン信号の受信時では信号の非通過状態とする第二のスイッチ回路とを備え、前記第二のスイッチ回路は互いに直列に接続され、前記第二の入力端と前記出力端との間に介挿されると共に、前記テレビジョン信号の受信時にオフとなり、前記ＦＭ放送信号の受信時にオンとなる二つの第一のダイオードと、前記二つの第一のダイオードの接続点とグランドとの間に接続され、前記テレビジョン信号の受信時にオンとなり、前記ＦＭ放送信号の受信時にオフとなる第二のダイオードとを有し、前記ＦＭ放送信号の周波数に同調する並列同調回路を前記第二のダイオードに並列に接続したことを特徴とするテレビジョンチューナの入力切替回路。
【請求項２】
第一のコンデンサとインダクタンス素子とから構成されると共に前記第二の入力端と前記第二のスイッチ回路との間に介挿された直列同調回路を設け、前記直列同調回路を前記ＦＭ放送信号の周波数に同調させたことを特徴とする請求項１に記載のテレビジョンチューナの入力切替回路。
【請求項３】
前記直列同調回路の一端とグランドとの間に第二のコンデンサを接続し、前記ＦＭ放送信号の周波数以上において前記直列同調回路と前記第二のコンデンサとによってローパスフィルタを構成し、前記ローパスフィルタのカットオフ周波数をＶＨＦ帯のハイバンドの最低周波数と前記ＦＭ放送信号の最高周波数との間に設定したことを特徴とする請求項２に記載のテレビジョンチューナの入力切替回路。
【発明の詳細な説明】
【０００１】
【発明の属する技術分野】
本発明は、入力されたテレビジョン又はＦＭ放送信号を切り替えるためのテレビジョンチューナの入力切替回路に関する。
【０００２】
【従来の技術】
ＦＭ放送信号を受信可能としたテレビジョンチューナにおいては、入力されたテレビジョン又はＦＭ放送信号を切り替えて同調回路に入力するようにしている。
図３はこのようなテレビジョンチューナにおける従来の入力切替回路の構成を示す。図３において、テレビジョン信号が入力される第一の入力端４１と出力端４２との間には、ハイパスフィルタ４３、トラップ回路４４、第一のスイッチ回路４５が順次介挿される。ハイパスフィルタ４３はテレビジョン信号の最低周波数（およそ５０ＭＨｚ）以上を通過し、トランプ回路４４は市民バンド用に使用される２７ＭＨｚ近傍を減衰する。
【０００３】
第一のスイッチ回路４５はアノード同士が互いに接続されて第一の入力端４１と出力端４２との間に直列に介挿された二つのスイッチダイオード４５ａ、４５ｂと、カソードがスイッチダイオード４５ａ、４５ｂのアノードに接続され、アノードが高周波的に接地されたスイッチダイオード４５ｃとを有する。
そして、スイッチダイオード４５ａ、４５ｂのアノードとスイッチダイオード４５ｃのカソードとの接続点が電源端子４６に接続され、スイッチダイオード４５ａ、４５ｂのカソードとスイッチダイオード４５ｃのアノードとが切替端子４７に接続される。
【０００４】
一方、ＦＭ放送信号が入力される第二の入力端４８と出力端４２との間には、ＦＭ放送信号を通過するハイパスフィルタ４９、第二のスイッチ回路５０、ＦＭ放送信号の周波数（８８ＭＨｚ〜１０８ＭＨｚ）に同調する同調回路５１が順次介挿される。スイッチ回路５０はアノード同士が互いに接続されて第二の入力端４８と出力端４２との間に直列に介挿された二つのスイッチダイオード５０ａ、５０ｂと、カソードがスイッチダイオード５０ａ、５０ｂのアノードに接続され、アノードが高周波的に接地されたスイッチダイオード５０ｃとを有する。
【０００５】
そして、スイッチダイオード５０ａ、５０ｂのアノードとスイッチダイオード５０ｃのカソードとの接続点が切替端子４７に接続され、スイッチダイオード５０ａ、５０ｂのカソードとスイッチダイオード５０ｃのアノードとがスイッチトランジスタ５２のコレクタに接続される。
スイッチトランジスタ５２のコレクタは電源端子４６に接続され、ベースは切替端子４７に接続され、エミッタは接地される。
【０００６】
同調回路５１の一端はスイッチダイオード５０ｂのカソードに接続され、他端は接地される。
また、図示はしないが、出力端４２の後段にはテレビジョン信号又はＦＭ放送信号の各周波数に同調する入力同調回路が設けられる。
【０００７】
以上の構成において、テレビジョン信号を受信する場合には、切替端子４７にローレベルの切替電圧（例えば、０ボルト）が印加される。すると、第一のスイッチ回路４５におけるスイッチダイオード４５ａ、４５ｂがオンとなり、スイッチダイオード４５ｃがオフとなる。従って、第一の入力端４１に入力されたテレビジョン信号は第一のスイッチ回路４５を通過して出力端４２に出力される。図４のＡはこのときの第一の入力端４１と出力端４２との間の伝送特性を示しており、２７ＭＨｚ近傍で減衰し、ほぼ５０ＭＨｚ以上の周波数で伝送する特性となる。
【０００８】
このとき、スイッチトランジスタ５２はオフとなるので、第二のスイッチ回路５０におけるスイッチダイオード５０ａ、５０ｂはオフとなり、スイッチダイオード５０ｃはオンとなる。従って、第二の入力端４８に入力されたＦＭ放送信号は第二のスイッチ回路５０によって阻止され、出力端４２には出力されないようになる。
【０００９】
一方、ＦＭ放送信号を受信する場合には、切替端子４７にハイレベルの切替電圧（例えば、電源端子４６に印加されている電圧と等しい電圧）が印加される。
すると、第一のスイッチ回路４５におけるスイッチダイオード４５ａ、４５ｂがオフとなり、スイッチダイオード４５ｃがオンとなる。従って、第一の入力端４１に入力されたテレビジョン信号は阻止されて出力端４２に出力されない。
このとき、スイッチトランジスタ５２はオンとなるので、第二のスイッチ回路５０におけるスイッチダイオード５０ａ、５０ｂはオンとなり、スイッチダイオード５０ｃはオフとなる。従って、第二の入力端４８に入力されたＦＭ放送信号は第二のスイッチ回路５０を通過して出力端４２に出力される。
【００１０】
【発明が解決しようとする課題】
以上のように、テレビジョン信号の受信時には第二のスイッチ回路５０におけるスイッチダイオード５０ａ及５０ｂがオフとなり、スイッチダイオード５０ｃがオンとなる。しかし、このとき、スイッチダイオード５０ａ、５０ｂは０．５ｐＦ（ピコファラッド）程度の微少の端子間容量を持ち、また、スイッチダイオード５０ｃの端子間は完全な短絡状態とならず、さらに、同調回路５１が第二のスイッチ回路５０と出力端４２との間（同調回路５０の外側という意味）に設けられているので、第二の入力端４８に入力されたＦＭ放送信号は第二のスイッチ回路５０を漏洩し、同調回路５１に同調して出力端４２に現れる。
【００１１】
図４のＢはこのときの第二の入力端４８と出力端４２との間の伝送特性を示し、ｂのように８８ＭＨｚ乃至１０８ＭＨｚで盛り上がる特性となっている。このため、テレビジョン信号の受信時にＦＭ放送信号による妨害が生じる。
【００１２】
本発明は、テレビジョン信号の受信時にＦＭ放送信号の漏れを少なくしてＦＭ放送信号による妨害をなくすことを目的とする。
【００１３】
【課題を解決するための手段】
上記課題を解決する手段として、テレビジョン信号が入力される第一の入力端と、ＦＭ放送信号が入力される第二の入力端と、出力端と、前記第一の入力端と前記出力端との間に介挿されると共に、前記第一の入力端と前記出力端との間を前記テレビジョン信号の受信では信号の通過状態とし、前記ＦＭ放送信号の受信時では信号の非通過状態とする第一のスイッチ回路と、前記第二の入力端と前記出力端との間に介挿されると共に、前記第二の入力端と前記出力端との間を前記ＦＭ放送信号の受信時では信号の通過状態とし、前記テレビジョン信号の受信時では信号の非通過状態とする第二のスイッチ回路とを備え、前記第二のスイッチ回路は互いに直列に接続され、前記第二の入力端と前記出力端との間に介挿されると共に、前記テレビジョン信号の受信時にオフとなり、前記ＦＭ放送信号の受信時にオンとなる二つの第一のダイオードと、前記二つの第一のダイオードの接続点とグランドとの間に接続され、前記テレビジョン信号の受信時にオンとなり、前記ＦＭ放送信号の受信時にオフとなる第二のダイオードとを有し、前記ＦＭ放送信号の周波数に同調する並列同調回路を前記第二のダイオードに並列に接続した。
【００１４】
また、第一のコンデンサとインダクタンス素子とから構成されると共に前記第二の入力端と前記第二のスイッチ回路との間に介挿された直列同調回路を設け、前記直列同調回路を前記ＦＭ放送信号の周波数に同調させた。
【００１５】
また、前記直列同調回路の一端とグランドとの間に第二のコンデンサを接続し、前記ＦＭ放送信号の周波数以上において前記直列同調回路と前記第二のコンデンサとによってローパスフィルタを構成し、前記ローパスフィルタのカットオフ周波数をＶＨＦ帯のハイバンドの最低周波数と前記ＦＭ放送信号の最高周波数との間に設定した。
【００１６】
【発明の実施の形態】
図１は本発明におけるテレビジョンチューナの入力切替回路の構成を示す。図１において、テレビジョン信号が入力される第一の入力端１と出力端２との間には、ハイパスフィルタ３、トラップ回路４、第一のスイッチ回路５が順次介挿される。ハイパスフィルタ３はテレビジョン信号の最低周波数（およそ５０ＭＨｚ）以上を通過し、トランプ回路４は市民バンドの通信機に使用される２７ＭＨｚ帯を減衰する。
【００１７】
第一のスイッチ回路５はアノード同士が互いに接続されて第一の入力端１と出力端２との間に直列に介挿された二つの第一のスイッチダイオード５ａ、５ｂと、カソードが第一のスイッチダイオード５ａ、５ｂのアノードに接続され、アノードが接地コンデンサ５ｃを介して高周波的に接地された第二のスイッチダイオード５ｄとを有する。
そして、第一のスイッチダイオード５ａ、５ｂのアノードと第二のスイッチダイオード５ｃのカソードとの接続点が抵抗５ｅを介して電源端子６に接続される。電源端子６には５ボルト程度の電圧が印加される。また、第一のスイッチダイオード５ａのカソードと、５ｂのカソードと第二のスイッチダイオード５ｃのアノードとがそれぞれ抵抗５ｆ、５ｇ、５ｈによって互いに直流的に接続され、抵抗７を介して切替端子８に接続される。抵抗５ｆ、５ｇ、５ｈ、７の互いの接続点は抵抗９を介して接地される。
【００１８】
一方、ＦＭ放送信号が入力される第二の入力端１１と出力端２との間には、直列同調回路１２、第二のスイッチ回路１３が順次介挿される。直列同調回路１２は第一のコンデンサ１２ａとインダクタンス素子１２ｂとを有し、ＦＭ放送帯（８８ＭＨｚ〜１０８ＭＨｚ）のほぼ中心周波数に同調する。また、第一の入力端１１と直列同調回路１２との接続点は第二のコンデンサ１４を介して接地される。従って、直列同調回路１２はＦＭ放送帯以上の周波数においてはインダクタンス成分となり、第二のコンデンサ１４と共にローパスフィルタ１５を構成する。この場合のカットオフ周波数はＶＨＦ帯のハイバンドの最低周波数（ほぼ１７０ＭＨｚ）とＦＭ放送帯の最高周波数との間となるように設定される。
【００１９】
第二のスイッチ回路１３はアノード同士が互いに接続されて第二の入力端１１と出力端２との間（従って、直列同調回路１２と出力端２との間）に直列に介挿された二つの第一のスイッチダイオード１３ａ、１３ｂと、カソードが第一のスイッチダイオード１３ａ、１３ｂのアノードに接続され、アノードが接地コンデンサ１３ｃによって高周波的に接地された第二のスイッチダイオード１３ｄとを有する。
【００２０】
そして、第一のスイッチダイオード１３ａ、１３ｂのカソードと第二のスイッチダイオード１３ｄのアノードとがそれぞれ抵抗１３ｅ、１３ｆ、１３を介して互いに直流的に接続され、その接続点は抵抗１６を介して電源端子６に接続されると共に、スイッチトランジスタ１７のコレクタに接続される。スイッチトランジスタ１７のベースは切替端子８に接続され、エミッタは接地される。
【００２１】
また、第二のスイッチダイオード１３ｄには並列同調回路１８が高周波的に並列に接続される。並列同調回路１８は第二のスイッチダイオード１３ｄのカソードとグランドとの間に接続された第三のコンデンサ１８ａと、一端が第二のスイッチダイオード１３ｄのカソードに接続され、他端が接地コンデンサ１８ｃによって高周波的に接地された第二のインダクタンス素子１８ｂを有し、その同調周波数はＦＭ放送帯のほぼ中心となるように設定される。
そして、第二のインダクタンス素子１８ｂと接地コンデンサ１８ｃとの接続点が抵抗１３ｈを介して抵抗５ｆと５ｇと５ｈとの接続点に接続され、また、抵抗１９によって接地される。
なお、第一のスイッチダイオード１３ｂのカソードは直流カットコンデンサ２０を介して出力端２に接続される。
【００２２】
以上の構成において、テレビジョン信号を受信する場合には、切替端子８にローレベルの切替電圧（例えば、０ボルト）が印加される。すると、第一のスイッチ回路５における第一のスイッチダイオード５ａ、５ｂがオンとなり、第二のスイッチダイオード５ｄがオフとなる。従って、第一の入力端１に入力されたテレビジョン信号は第一のスイッチ回路５を通過して出力端２に出力される。図３のＡはこのときの第一の入力端１と出力端２との間の伝送特性を示しており、２７ＭＨｚ近傍で減衰し、ほぼ５０ＭＨｚ以上の周波数で伝送する特性となる。
【００２３】
このとき、スイッチトランジスタ１７はオフとなるので、第二のスイッチ回路１３における第一のスイッチダイオード１３ａ、１３ｂはオフとなり、第二のスイッチダイオード１３ｄｃはオンとなる。従って、第一のスイッチダイオード１３ａを漏洩したＦＭ放送信号が並列同調回路１８に印加されても、第二のスイッチダイオード１３ｄがオンとなっているので、並列同調回路１８の同調特性はなくなり、第二の入力端１１に入力されたＦＭ放送信号は第二のスイッチ回路１３をほとんど通過せず、出力端２に出力されるレベルは極めて低くなる。図３のＢは第二の入力端１１と出力端２との間の伝送特性を示し、ＦＭ放送帯における盛り上がりはない。また、ローパスフィルタ１５によってＦＭ放送帯よりも高い周波数では従来よりも伝送レベルが低くなっている。
【００２４】
一方、ＦＭ放送信号を受信する場合には、切替端子８にハイレベルの切替電圧（例えば、電源端子６に印加されている電圧と等しい電圧）が印加される。すると、第一のスイッチ回路５における第一のスイッチダイオード５ａ、５ｂがオフとなり、第二のスイッチダイオード５ｄがオンとなる。従って、第一の入力端１に入力されたテレビジョン信号の通過は阻止されて出力端２に出力されない。
このとき、スイッチトランジスタ１７はオンとなるので、第二のスイッチ回路１３における第一のスイッチダイオード１３ａ、１３ｂはオンとなり、第二のスイッチダイオード１３ｄはオフとなる。従って、第二の入力端１１に入力されたＦＭ放送信号は第二のスイッチ回路１３を通過して出力端２に出力される。そして、ＶＨＦ帯のハイバンド以上の周波数に存在する信号の通過もローパスフィルタ１５によって阻止されるのでＦＭ放送信号を受信す際の受信妨害も発生することがない。
【００２５】
【発明の効果】
以上のように、テレビジョン信号が入力される第一の入力端と出力端との間に介挿された第一のスイッチ回路と、ＦＭ放送信号が入力される第二の入力端と出力端との間に介挿された第二のスイッチ回路とを備え、第二のスイッチ回路は第二の入力端と出力端との間に互いに直列状態で介挿されると共に、テレビジョン信号の受信時にオフとなり、ＦＭ放送信号の受信時にオンとなる二つの第一のダイオードと、第一のスイッチダイオードの接続点とグランドとの間に接続され、テレビジョン信号の受信時にオンとなり、ＦＭ放送信号の受信時にオフとなる第二のダイオードとを有し、ＦＭ放送信号の周波数に同調する並列同調回路を第二のダイオードに並列に接続したので、並列同調回路の同調特性は第二のスイッチダイオードによってなくなり、第二の入力端に入力されたＦＭ放送信号は第二のスイッチ回路１３をほとんど通過せず、出力端に出力されるレベルは極めて低くなる。そのため、ＦＭ放送帯において盛り上がる特性がなくなりＦＭ放送信号による妨害を受けない。
【００２６】
また、第一のコンデンサとインダクタンス素子とから構成されると共に第二の入力端と第二のスイッチ回路との間に介挿された直列同調回路を設け、直列同調回路をＦＭ放送信号の周波数に同調させたので、ＦＭ放送信号の受信時では並列同調回路と共にＦＭ放送信号を通過し、それ以外の周波数の信号のレベルをげんすいすることが出来る。
【００２７】
また、直列同調回路の一端とグランドとの間に第二のコンデンサを接続し、ＦＭ放送信号の周波数以上において直列同調回路と第二のコンデンサとによってローパスフィルタを構成し、ローパスフィルタのカットオフ周波数をＶＨＦ帯のハイバンドの最低周波数とＦＭ放送信号の最高周波数との間に設定したので、ＦＭ放送信号の受信時ではＶＨＦ帯以上のテレビジョン信号を減衰してそれによる妨害もなくなる。
【図面の簡単な説明】
【図１】本発明のテレビジョンチューナの入力切替回路の構成を示す回路図である。
【図２】本発明のテレビジョンチューナの入力切替回路における伝送特性図である。
【図３】従来のテレビジョンチューナの入力切替回路の構成を示す回路図である。
【図４】従来のテレビジョンチューナの入力切替回路における伝送特性図である。
【符号の説明】
１  第一の入力端
２  出力端
３  ハイパスフィルタ
４  トラップ回路
５  第一のスイッチ回路
５ａ、５ｂ  第一のスイッチダイオード
５ｃ  接地コンデンサ
５ｄ  第二のスイッチダイオード
５ｅ、５ｆ、５ｇ、５ｈ  抵抗
６  電源端子
７、９  抵抗
８  切替端子
１１  第二の入力端
１２  直列同調回路
１２ａ  第一のコンデンサ
１２ｂ  第一のインダクタンス素子
１３  第二のスイッチ回路
１３ａ、１３ｂ  第一のスイッチダイオード
１３ｃ  接地コンデンサ
１３ｄ  第二のスイッチダイオード
１３ｅ、１３ｆ、１３ｇ、１３ｈ  抵抗
１４  第二のコンデンサ
１５  ローパスフィルタ
１６  抵抗
１７  スイッチトランジスタ
１８  並列同調回路
１８ａ  第三のコンデンサ
１８ｂ  第二のインダクタンス素子
１８ｃ  接地コンデンサ
１９  抵抗
２０  直流カットコンデンサ
【図１】
0003710367.tif 000002
【図２】
0003710367.tif 000003
【図３】
0003710367.tif 000004
【図４】
0003710367.tif 000005